(57)【要約】【課題】  省スペース化を図るとともに、画像の形成されたサイズの異なるペーパーを確実に収納できる排出トレイを備えた写真処理装置を提供する。【解決手段】  画像の形成されたサイズの異なるペーパー２が排出される排出トレイ８を備え、該排出トレイ８は、基本サイズのペーパー２が排出される第１排出トレイ８ａと、該第１排出トレイ８ａに出退可能に設けられた第２排出トレイ８ｂとを備え、基本サイズよりも大きい大判サイズのペーパー２を収納すべく第１排出トレイ８ａから第２排出トレイ８ｂを突出した状態にするように構成されてなる写真処理装置１において、排出されるペーパー２が大判サイズである場合に、第１排出トレイ８ａから第２排出トレイ８ｂを自動的に送り出すトレイ送出手段を備える。【選択図】  図１
2005162362.tif 000002
【特許請求の範囲】
【請求項１】
画像の形成されたサイズの異なるペーパーが排出される排出トレイを備え、
該排出トレイは、基本サイズのペーパーが排出される第１排出トレイと、
該第１排出トレイに出退可能に設けられた第２排出トレイとを備え、
前記基本サイズよりも大きい大判サイズのペーパーを収納すべく前記第１排出トレイから前記第２排出トレイを突出した状態にするように構成されてなる写真処理装置において、
前記排出されるペーパーが前記大判サイズである場合に、前記第１排出トレイから前記第２排出トレイを自動的に送り出すトレイ送出手段を備えることを特徴とする写真処理装置。
【発明の詳細な説明】
【技術分野】
【０００１】
本発明は、排出されるペーパーのサイズに応じて、排出領域の大きさを切り替え可能とする排出トレイを備えた写真処理装置に関する。
【背景技術】
【０００２】
従来、ペーパーに画像を形成する写真処理装置には、ペーパーに画像を形成する画像形成部と、該画像形成部から搬送されたペーパーを排出する排出トレイとを備えたものがある。
【０００３】
このような写真処理装置の排出トレイには、サイズの異なるペーパーを排出可能にするとともに、省スペース化を図るため、排出トレイの排出領域の大きさを切り替え可能にしたものがある。この排出トレイは、処理頻度の高い基本サイズのペーパーを排出する第１排出トレイと、第１排出トレイに出退可能に設けられ、第１排出トレイから突出した状態にすることで排出トレイの排出領域を拡大する第２排出トレイとを備えており、基本サイズよりも大きい大判サイズのペーパーを処理する場合、操作者が第１排出トレイから第２排出トレイを手動で引き出すことで、排出領域を広げ得るようになっている。
【発明の開示】
【発明が解決しようとする課題】
【０００４】
しかしながら、通常、写真処理装置は、処理頻度の高い基本サイズのペーパーを処理しているため、大判サイズのペーパーを処理する場合、操作者が必ず第１排出トレイから第２排出トレイを手動で引き出しておかなければならない。そのため、操作者による操作が煩雑になるだけでなく、大判サイズのペーパーは基本サイズのペーパーよりも処理頻度が低いので、操作者が排出トレイの引き出しを忘れることがある。このように、操作者が排出トレイの引き出しを忘れると、排出トレイからペーパーが脱落して、ペーパーに形成された画像を傷つけたり、ペーパーの角部が折れたりする問題がある。
【０００５】
そこで、本発明は、上記問題に鑑みて、省スペース化を図るとともに、画像の形成されたサイズの異なるペーパーを確実に収納できる排出トレイを備えた写真処理装置を提供することを目的とする。
【課題を解決するための手段】
【０００６】
上記目的を達成するため、本発明に係る写真処理装置では、画像の形成されたサイズの異なるペーパーが排出される排出トレイを備え、該排出トレイは、基本サイズのペーパーが排出される第１排出トレイと、該第１排出トレイに出退可能に設けられた第２排出トレイとを備え、基本サイズよりも大きい大判サイズのペーパーを収納すべく第１排出トレイから第２排出トレイを突出した状態にするように構成されてなる写真処理装置において、排出されるペーパーが大判サイズである場合に、第１排出トレイから第２排出トレイを自動的に送り出すトレイ送出手段を備えることを特徴とする。なお、基本サイズとは、写真分野において高い頻度で使用されるサイズ（例えば、２Ｌ（１２７ｍｍ×１７８ｍｍ））であり、大判サイズとは前記基本サイズよりも大きいサイズである。従って、基本サイズが６切り（２０３ｍｍ×２５４ｍｍ）であれば大判サイズはこの６切りよりも大きいサイズであることを意味するものである。
【０００７】
このように本発明にかかる写真処理装置によると、基本サイズよりも大きい大判サイズのペーパーを収納すべく第１排出トレイから第２排出トレイを自動的に送り出すトレイ送出手段が設けられているので、基本サイズだけでなく処理頻度の低い大判サイズのペーパーが排出されても確実に受けることができる。従って、ペーパーが排出トレイから脱落して、ペーパーに形成された画像を傷つけたり、ペーパーの角部が折れたりする問題も無くなる。
【発明の効果】
【０００８】
以上説明したように、本発明は、省スペース化を図るとともに、画像の形成されたサイズの異なるペーパーを傷つけることなく確実に収納できる排出トレイを備えた写真処理装置を提供することができる。
【発明を実施するための最良の形態】
【０００９】
以下、本発明の一実施形態に係る写真処理装置の排出トレイについて、図面を参酌しつつ説明する。なお、図１は本実施形態にかかる写真処理装置の概略断面形状を図示したものである。
【００１０】
写真処理装置１は、ペーパー２をロール状にして収容した第１マガジン３ａ及び第２マガジン３ｂと、第１、第２マガジン３ａ、３ｂのいずれか一方から供給されたペーパー２に画像を形成するインクジェット４と、画像の形成されたペーパー２を下流側に送る複数のローラからなる搬送系５と、搬送系５により送られたペーパー２を所定の長さで切断するカッター６と、カッター６で切断したペーパー２を下流側に排出する排出ローラ７と、排出されたペーパー２を収納する排出トレイ８とにより構成されている。なお、本実施形態において、写真処理装置１は、インクジェット４により画像を形成する構成であるが、これに限らず、例えば、ペーパー２（感光材料）に露光処理と現像処理とを施して画像を形成する構成であっても良い。
【００１１】
排出トレイ８は、サイズの異なるペーパー２が排出されるように構成されている。具体的には、カッター６により切断された基本サイズのペーパー２を収納する第１排出トレイ８ａと、第１排出トレイ８ａに出退可能に設けられた第２排出トレイ８ｂと、第２排出トレイ８ｂを案内するガイド１０と、基本サイズよりも大きいサイズ（大判サイズ）のペーパー２を収納できるように第１排出トレイ８ａから第２排出トレイ８ｂを送り出すトレイ送出手段とにより構成されている。
【００１２】
トレイ送出手段は、第２排出トレイ８ｂに固着されたラック（図示しない）と、第１排出トレイ８ａに設けられた駆動モータ９と、ラックと噛合されるとともに駆動モータ９の駆動力が伝達されるピニオン（図示しない）とを備えている。さらに、該トレイ送出手段は、駆動モータ９を駆動するための駆動回路１１を第１排出トレイ８ａに備えている。なお、駆動モータ９として、種々のタイプを採用できるが、本実施形態においては、例えば、ステッピングモータを使用している。
【００１３】
写真処理装置１には、操作者により操作される操作パネル（図示しない）が設けられている。この操作パネルは、制御装置（図示しない）に接続されており、操作者に写真のサイズを選択させたり、画像処理する枚数を設定させたりするようになっている。制御装置は、ＣＰＵ、ＲＯＭ及びＲＡＭ等を含んで構成される制御回路とその周辺回路から構成されるもので、ＲＯＭ内に写真処理装置のための制御プログラムを記憶しており、操作者により操作パネルが操作されると、この操作信号の入力により、制御プログラムが起動されて、各種演算、処理を行うようになっている。
【００１４】
操作パネルで写真の大判サイズが操作者により選択された場合は、制御装置から駆動回路１１に直ちに駆動信号が送信されて、駆動回路１１により駆動モータ９が駆動され、この駆動モータ９からの駆動力が伝達されてピニオンが回転し、ペーパー２が排出される方向にラックが移動することで、第１排出トレイ８ａから第２排出トレイ８ｂを送り出すようにしている。なお、常態において、第２排出トレイ８ｂは、第１排出トレイ８ａに退避した状態になっている。
【００１５】
排出トレイ８には、ペーパー２の有無を検出するペーパー検出センサ（図示しない）が設けられており、ペーパー検出センサからの信号が制御装置に入力されるようになっている。制御装置は、ペーパー検出センサからの入力により、操作者により排出トレイ８からペーパー２が取り出されたことを検出すると、第１排出トレイ８ａから送り出された第２排出トレイ８ｂを第１排出トレイ８ａに収納する位置までトレイ送出手段により引き戻すようになっている。
【００１６】
次に、上記構成において、写真処理装置１の作動について説明する。操作者により操作パネルが操作されると、インクジェット４により画像形成されたペーパー２が、搬送系５によりカッター６に送られる。画像形成されたペーパー２が大判サイズの場合、この操作パネルの操作と同時に、制御装置から駆動回路１１に直ちに駆動信号が送信される。この駆動信号に基づいて、駆動回路１１は、大判サイズのペーパー２が排出される前に駆動モータ９を駆動することでピニオンとラックを介して第１排出トレイ８ａから第２排出トレイ８ｂを所定の位置まで移動させる。即ち、トレイ送出手段により第１排出トレイ８ａから第２排出トレイ８ｂを移動させて送り出す。このように、第１排出トレイ８ａから第２排出トレイ８ｂを送り出すことで第２排出トレイ８ｂが第１排出トレイ８ａから突出し、排出トレイ８の排出領域が排出される大判サイズのペーパー２を収納できるように拡大することになる。一方、カッター６に送られたペーパー２は操作パネルに入力された画像のサイズに切断されてから排出ローラ６により送り出されて、排出領域が拡大された排出トレイ８に排出される。
【００１７】
以上説明したように、本発明の一実施形態によれば、排出トレイ８は、操作者の操作パネルの操作により基本サイズのペーパー２よりも大きい大判サイズのペーパー２が選択されると、トレイ送出手段により第１排出トレイ８ａから第２排出トレイ８ｂが送り出されるので、大判サイズのペーパー２を収納するように排出領域を拡大させることができ、不定期に大判サイズのペーパー２が排出されても、該ペーパー２を確実に受けることができる。従って、ペーパー２が排出トレイ８から脱落してペーパー２に形成された画像を傷つけたり、ペーパー２の角部が折れたりする問題も無くなる。
【００１８】
なお、本発明は、上記実施形態に限定されるものではなく、本発明の範囲において種々の変更が可能である。
【００１９】
例えば、本発明の一実施形態では、ペーパー２のサイズが操作パネルにより選択されると、排出トレイ８を直ちに拡大するように構成したが、これに限らず、カッター６への出力信号の回数からペーパー２のサイズが大きくなるタイミングを判定し、排出されるペーパー２が大判サイズになる前に第１排出トレイ８ａから第２排出トレイ８ｂを移動させて、排出領域を拡大するように構成しても良い。即ち、ペーパー２を切断する回数から、大判サイズのペーパー２が排出されるタイミングを知ることができるので、大判サイズのペーパー２を排出する直前に排出領域を拡大するように構成しても良い。または、第２排出トレイ８ｂの所定位置にペーパー２のサイズを検出するセンサを配置し、排出されるペーパー２の大きさを該センサで直接検出しながら第２排出トレイ８ｂを送り出すように構成しても良い。
【００２０】
上記実施形態では、第１排出トレイ８ａから送り出された第２排出トレイ８ｂをトレイ送出手段により第１排出トレイ８ａ内に再度引き戻すように構成したが、操作者が手動で送り出された第２排出トレイ８ｂを第１排出トレイ８ａ内に戻すように構成しても良い。
【００２１】
上記実施形態では、第１排出トレイ８ａから第２排出トレイ８ｂをモータ駆動により出退させて排出トレイ８の排出領域を変化させるように構成したが、第１排出トレイ８ａから第２排出トレイ８ｂを、空気圧を利用したアクチュエータにより出退可能に構成しても良いし、電動シリンダーにより出退可能に構成しても良い。
【００２２】
上記実施形態では、基本サイズのペーパー２と、該基本サイズのペーパー２よりも大きい大判サイズのペーパー２との２つのサイズのペーパー２を排出トレイ８に排出する構成にしたが、写真処理装置で処理されるペーパー２のサイズを３つ以上に設定し、排出されるペーパー２のサイズに応じて第２排出トレイ８ｂの送り出し量を変更する構成にしても良い。即ち、排出されるペーパー２のサイズが基本サイズより大きいサイズからさらに大きくなるときは、第２排出トレイ８ｂを送り出し方向に段階的に送り出すように構成しても良い。
【００２３】
具体的に説明すると、第１排出トレイ８ａが２Ｌの写真サイズを基本サイズとしている場合、この基本サイズより大きい６切りのサイズが排出されるときは、６切りのサイズを収納するだけの排出領域となるように第２排出トレイ８ｂを第１排出トレイ８ａから送り出す。この６切りのサイズのペーパー２が排出された後に、６切りのサイズより大きいサイズのペーパー２が排出されるときは、６切りのサイズのペーパー２より大きいサイズのペーパー２を収納するだけの排出領域となるように、送り出した第２排出トレイ８ｂをさらに送り出すようにして、排出されるペーパー２のサイズに対応させる構成にしても良い。この場合、排出トレイ８上に基本サイズより大きいサイズのペーパー２があるときは、第１排出トレイ８ａから送り出している第２排出トレイ８ｂを引き戻し方向には移動しないように構成すると良い。ただし、操作者が排出トレイ８上のペーパー２を取り出した後は、第２排出トレイ８ｂを次に排出されるペーパー２のサイズに応じた位置まで移動するように構成することが好ましい。
【図面の簡単な説明】
【００２４】
【図１】本発明の一実施形態の写真処理装置の概略断面図である。
【符号の説明】
【００２５】
１…写真処理装置、２…ペーパー、３ａ…第１マガジン、３ｂ…第２マガジン、
４…インクジェット、５…搬送系、６…カッター、７…排出ローラ、８…排出トレイ、
８ａ…第１排出トレイ、８ｂ…第２排出トレイ、９…駆動モータ、１０…ガイド、
１１…駆動回路
【図１】
2005162362.tif 000003